(57)【特許請求の範囲】
【請求項１】
光源と、
前記光源を点灯又は消灯させる光源駆動部と、
入力画像信号に基づいて表示画像用の画像信号を生成する画像信号処理部と、
前記画像信号処理部により生成された画像信号に基づき、前記光源から射出された光束を変調する光変調部と、
前記光変調部により変調された光束を拡大投写する投写光学系と、
記憶部と、
操作内容に応じた操作信号を入力するための操作部と、
外部の装置との間で情報を入出力する入出力部と、
前記光源の点灯時間の累積値を計測し、該点灯時間の累積値情報を前記記憶部に記憶させる制御部と
を備え、
前記制御部は、
所定のタイミングで、前記記憶部に記憶された点灯時間の累積値情報を、前記入出力部に前記外部の装置へ出力させ、
前記操作部が累積値情報を書き戻す旨の操作信号を入力したとき、前記外部の装置から前記点灯時間の累積値情報を前記入出力部に取得させ、該点灯時間の累積値情報を、当該光源の点灯時間の累積値情報として前記記憶部に記憶させることを特徴とするプロジェクタ。
【請求項２】
前記制御部は、
前記記憶部に記憶された点灯時間の累積値がゼロのとき、点灯時間の累積値情報を書き戻すか否かの選択メッセージ画面の画像信号を、前記画像信号処理部に生成させることを特徴とする請求項１記載のプロジェクタ。
【請求項３】
前記制御部は、
前記操作部が累積値情報を書き戻さない旨の操作信号を入力したとき、前記記憶部に記憶された点灯時間の累積値情報を前記入出力部に出力させることを特徴とする請求項１又は２記載のプロジェクタ。
【請求項４】
請求項１〜３の何れかに記載のプロジェクタと、
前記プロジェクタから出力された点灯時間の累積値情報を記憶する外部の装置と
を備えたことを特徴とするプロジェクタ管理システム。
【請求項５】
光源からの光を変調して画像を投写するプロジェクタの制御方法であって、
前記光源の点灯時間の累積値を計測し、該点灯時間の累積値情報を記憶するステップと、
記憶された前記点灯時間の累積値情報を、所定のタイミングで、外部の装置に出力するステップと、
累積値情報を書き戻す旨の操作がされたとき、前記外部の装置から前記点灯時間の累積値情報を取得するステップと、
取得した該点灯時間の累積値情報を、当該光源の点灯時間の累積値情報として記憶するステップと
を有することを特徴とするプロジェクタの制御方法。
【発明の詳細な説明】
【技術分野】
【０００１】
本発明は、光源の点灯時間を計測するプロジェクタ、プロジェクタ管理システム及びプロジェクタの制御方法に関する。
【背景技術】
【０００２】
従来の技術としては、例えば特許文献１に「ランプで発光した光を液晶で変調し、投写表示する液晶プロジェクタにおいて、前記ランプと、前記ランプの点灯時間を記憶するメモリとを有するランプユニットが、着脱可能に設けられることを特徴とする液晶プロジェクタ。」が提案されている（例えば、請求項１を参照）。
【０００３】
【特許文献１】特開２０００−２６７０６１号公報
【発明の開示】
【発明が解決しようとする課題】
【０００４】
従来、プロジェクタのランプの交換寿命をユーザーに知らせるため、ランプの点灯時間をプロジェクタの内部メモリに保持し、点灯時間が所定値に達した場合に所定のメッセージなどを表示させて、ユーザーにランプの交換を促している。この内部メモリに保持された点灯時間の情報は、ランプ交換時にメモリをリセットすることにより点灯時間をクリアし、使用するランプ毎に点灯時間を計測する方法が使われている。
【０００５】
しかしながら、例えばプロジェクタの修理などにより、内部メモリに保持された点灯時間の情報がクリアされてしまった場合、現在使用しているランプの点灯時間を把握することができない、という問題点があった。
【０００６】
また、上記特許文献１には、ランプユニットに点灯時間を記憶するメモリを持たせる方法が提案されているが、ランプユニットごとにメモリを付加する必要があり、ランプユニットのコストが上がってしまう、という問題点があった。
【０００７】
本発明はこのような課題を解決するためになされたものであり、点灯時間の累積値情報がクリアされた場合であっても、ランプのコストを上げること無く、現在使用しているランプの点灯時間を把握することができるプロジェクタ、プロジェクタ管理システム及びプロジェクタの制御方法を得ることを目的とする。
【課題を解決するための手段】
【０００８】
本発明に係るプロジェクタは、光源と、前記光源を点灯又は消灯させる光源駆動部と、入力画像信号に基づいて表示画像用の画像信号を生成する画像信号処理部と、前記画像信号処理部により生成された画像信号に基づき、前記光源から射出された光束を変調する光変調部と、前記光変調部により変調された光束を拡大投写する投写光学系と、記憶部と、操作内容に応じた操作信号を入力するための操作部と、外部の装置との間で情報を入出力する入出力部と、前記光源の点灯時間の累積値を計測し、該点灯時間の累積値情報を前記記憶部に記憶させる制御部とを備え、前記制御部は、所定のタイミングで、前記記憶部に記憶された点灯時間の累積値情報を、前記入出力部に前記外部の装置へ出力させ、前記操作部が累積値情報を書き戻す旨の操作信号を入力したとき、前記外部の装置から前記点灯時間の累積値情報を前記入出力部に取得させ、該点灯時間の累積値情報を、当該光源の点灯時間の累積値情報として前記記憶部に記憶させるものである。
本発明においては、点灯時間の累積値情報を外部の装置に出力し、累積値情報を書き戻す旨の操作がされたとき、外部の装置から点灯時間の累積値情報を取得して、当該光源の点灯時間の累積値情報として記憶するので、点灯時間の累積値情報がクリアされた場合であっても、現在使用している光源の点灯時間を把握することができる。また、光源にメモリを付加する必要がないので、コストを上げることなく現在使用している光源の点灯時間を把握することができる。尚、光源としては、ランプ、発光ダイオード、レーザおよびレーザダイオード等がある。
【０００９】
本発明に係るプロジェクタにおいては、前記制御部は、前記記憶部に記憶された点灯時間の累積値がゼロのとき、点灯時間の累積値情報を書き戻すか否かの選択メッセージ画面の画像信号を、前記画像信号処理部に生成させるものである。
本発明においては、記憶部に記憶された点灯時間の累積値がゼロのとき、点灯時間の累積値情報を書き戻すか否かの選択メッセージ画面を表示するので、点灯時間の累積値情報がクリアされた場合に、累積値情報を書き戻すか否かの操作を促すことができる。
【００１０】
本発明に係るプロジェクタにおいては、前記制御部は、前記操作部が累積値情報を書き戻さない旨の操作信号を入力したとき、前記記憶部に記憶された点灯時間の累積値情報を前記入出力部に出力させるものである。
本発明においては、累積値情報を書き戻さない旨の操作がされたとき、点灯時間の累積値情報を外部の装置に出力するので、ユーザーの操作に応じて点灯時間の累積値情報を外部の装置に出力することができる。
【００１１】
本発明に係るプロジェクタ管理システムは、上記のプロジェクタと、前記プロジェクタから出力された点灯時間の累積値情報を記憶する外部の装置とを備えたものである。
本発明においては、上記のプロジェクタと、プロジェクタから出力された点灯時間の累積値情報を記憶する外部の装置とを備えるので、プロジェクタに記憶された点灯時間の累積値情報がクリアされた場合であっても、外部の装置に記憶された累積値情報により、現在使用している光源の点灯時間を把握することができる。
【００１２】
本発明に係るプロジェクタの制御方法は、光源からの光を変調して画像を投写するプロジェクタの制御方法であって、前記光源の点灯時間の累積値を計測し、該点灯時間の累積値情報を記憶するステップと、記憶された前記点灯時間の累積値情報を、所定のタイミングで、外部の装置に出力するステップと、累積値情報を書き戻す旨の操作がされたとき、前記外部の装置から前記点灯時間の累積値情報を取得するステップと、取得した該点灯時間の累積値情報を、当該光源の点灯時間の累積値情報として記憶するステップとを有するものである。
本発明においては、点灯時間の累積値情報を外部の装置に出力し、累積値情報を書き戻す旨の操作がされたとき、外部の装置から点灯時間の累積値情報を取得して、当該光源の点灯時間の累積値情報として記憶するので、点灯時間の累積値情報がクリアされた場合であっても、現在使用している光源の点灯時間を把握することができる。また、光源にメモリを付加する必要がないので、コストを上げることなく現在使用している光源の点灯時間を把握することができる。
【発明を実施するための最良の形態】
【００１３】
実施の形態１．
図１は実施の形態１に係るプロジェクタの構成を示すブロック図である。図に示すように、プロジェクタ１は、光源であるランプ１１と、光変調部である液晶ライトバルブ１２Ｒ，１２Ｇ，１２Ｂ（以下、区別しない場合は単に「液晶ライトバルブ１２」という。）と、投写光学系１３と、液晶ライトバルブ駆動部１４と、制御部２０と、画像入力部３１と、画像信号処理部３２と、フレームメモリ３３と、ランプ駆動部であるバラスト４０と、操作パネル４１と、リモコン受光部４２と、操作信号処理部４３と、記憶部４４と、時計部５０と、ネットワーク情報保存部６０と、入出力部であるネットワーク接続部７０とを備えている。このプロジェクタ１は、外部接続機器２から供給される入力画像信号に応じた画像光を投射して、スクリーン、白壁又はホワイトボード等の被投写体（以下「スクリーンＳＣ」という。）に拡大投写するものである。更にプロジェクタ１は、外部の装置であるサーバー３とネットワークを介して接続され、後述する点灯時間の累積値情報や各種管理情報などを送受信する。
【００１４】
制御部２０は、画像入力部３１、画像信号処理部３２、バラスト４０、操作信号処理部４３、記憶部４４、時計部５０、ネットワーク情報保存部６０、及びネットワーク接続部７０と接続され、プロジェクタ１の動作を統括制御する。この制御部２０は、マイクロプロセッサ等により構成され、記憶部４４に記憶された制御プログラム等を実行して、制御部２０に接続された各部から入力される各種データを演算するとともに、演算結果を前記各部に出力する。また、後述する動作により、ランプ１１の点灯時間の累積値の計測、及び点灯時間通知動作を行う。
【００１５】
画像入力部３１は、外部接続機器２と接続する１又は複数の接続端子を備え、外部接続機器２から入力される１又は複数の入力画像信号を取り込んで、それが例えばアナログ画像信号の場合にはデジタルの画像信号に変換する等の処理をして、画像信号処理部３２に出力する。尚、画像入力部３１が備える接続端子としては、例えば、ＲＧＢ端子、ＢＮＣ端子、Ｓ端子、ビデオ端子、ＤＶＩ端子などを備え、パーソナルコンピュータや各種ビデオ機器、ＤＶＤ再生機器などと接続される。
【００１６】
画像信号処理部３２は、例えばマイクロプロセッサ（例えばＤＳＰ）等の信号処理回路から構成され、それに内蔵した記憶部に格納された制御プログラムを実行することにより各種の処理を行う。また、画像信号処理部３２にはフレームメモリ３３が接続されており、画像入力部３１からの画像信号を１フレーム（１画像画面）毎にフレームメモリ３３に記憶させるとともに、フレームメモリ３３に記憶された画像（以下「フレーム画像」ともいう。）を読み出す機能を有し、また、画像信号の解像度を液晶ライトバルブ１２の解像度に合わせる解像度変換処理等の各種の信号処理を施して投写画像用の画像信号を生成する。
【００１７】
また、この画像信号処理部３２はＯＳＤ（Ｏｎ−Ｓｃｒｅｅｎ  Ｄｉｓｐｌａｙ）処理をする機能を備えており、制御部２０の制御命令に従って、プロジェクタ１の各種状態を表す文字や記号、画質調整を行う際のメニュー画像や選択メッセージ画面（後述）などのＯＳＤ画像信号をフレーム画像信号と合成する処理を行う。具体的には、制御部２０が例えば記憶部４４から各種メニュー画像データを読み出して画像信号処理部３２に供給し、画像信号処理部３２は例えばメニュー画像データによりＯＳＤ画像信号を生成し、このＯＳＤ画像信号をフレーム画像信号と合成する。なお、ＯＳＤ処理をしない場合には、フレーム画像信号がそのまま出力されることになる。上記のＯＳＤ処理によりメニュー画像が表示されると、ユーザーはメニュー画像に従ってプロジェクタ１の各部の機能を設定又は調整することになる。
【００１８】
液晶ライトバルブ駆動部１４は、入力された画像信号に応じて、液晶ライトバルブ１２Ｒ，１２Ｇ，１２Ｂを駆動する。液晶ライトバルブ１２Ｒ，１２Ｇ，１２Ｂは、それぞれ、複数の画素（図示せず）がマトリクス状に形成されており、液晶ライトバルブ駆動部１４により各画素の透過率が調整されることにより、ランプ１１から射出され、色光分離光学系（図示せず）によって各色光に分離されたＲ（赤）、Ｇ（緑），Ｂ（青）の各色光を、対応する液晶ライトバルブ１２Ｒ，１２Ｇ，１２Ｂによって変調する。液晶ライトバルブ１２Ｒ，１２Ｇ，１２Ｂから射出された画像光は、クロスダイクロイックプリズム（図示せず）などの合成光学系により合成され、投写光学系１３によってスクリーンＳＣ上に拡大投写される。
【００１９】
バラスト４０は、制御部２０からの指示に従って、ランプ１１を点灯又は消灯させるランプ駆動部であり、例えばランプ１１が高圧放電灯の場合には、始動電圧を印加する点灯回路や、適正なランプ電流を供給する安定器などにより構成される。
【００２０】
操作パネル４１は、プロジェクタ１の本体に設けられており、電源オン／オフキー、入力画像切り換え操作を行う入力切換キー、画質調整等の操作を行うメニュー画像を表示させるメニューキー、メニュー画像や選択メッセージ画面（後述）での項目選択操作を行う選択キー、及びプロジェクタ１の状態変更等を行うための各種スイッチ類を有し、ユーザーによるキー操作に応じた操作信号を操作信号処理部４３に入力する。
【００２１】
リモートコントローラ（以下「リモコンＲＣ」という。）は、プロジェクタ１の外部に設けられ、上記操作パネル４１と同様な各種スイッチ類や０〜９までの数字キーなどを有し、ユーザーによるキー操作に応じた操作信号を送信する。そして、リモコンＲＣからの操作信号は、リモコン受光部４２を介して操作信号処理部４３に入力される。尚、操作パネル４１又はリモコンＲＣは、本発明における操作部に相当する。
【００２２】
操作信号処理部４３は、操作パネル４１又はリモコン受光部４２からの操作信号を受信し、これを制御部２０に出力する。
【００２３】
記憶部４４は、制御部２０が実行する制御プログラム、画質調整等を行う際のメニュー画像の表示や、後述する選択メッセージ画面などのＯＳＤ画像を生成するためのＯＳＤ情報を記憶するとともに、プロジェクタ１の各種設定値等を記憶する。また、後述する動作により、点灯時間の累積値情報が記録される。
【００２４】
時計部５０は、例えばＲＴＣ（Ｒｅａｌ  Ｔｉｍｅ  Ｃｌｏｃｋ）により構成され、現在時刻情報を生成する。
【００２５】
ネットワーク情報保存部６０は、ＩＰアドレス、サーバー３からの識別番号など、ネットワーク通信に必要な情報が保存される。ネットワーク接続部７０は、例えばＬＡＮ（Ｌｏｃａｌ  Ａｒｅａ  Ｎｅｔｗｏｒｋ）などのネットワークを介してサーバー３と接続され、後述する動作により、点灯時間の累積値情報をサーバー３へ出力し、又はサーバー３から点灯時間の累積値情報を取得する。サーバー３は、ネットワーク接続部７０から出力された点灯時間の累積値情報を記憶し、プロジェクタ１からの要求に応じて当該累積値情報をネットワーク接続部７０に送信する。
【００２６】
上記のような構成により本実施の形態のプロジェクタ１は、ランプ１１の点灯時間の累積値を計測し、電源オン時及び電源オフ時に点灯時間の通知動作を行い、ユーザーの操作に応じて累積情報の書き戻しを行う。このような動作の詳細について図２〜図５を用いて次に説明する。
【００２７】
図２は実施の形態１に係る点灯時間計測の動作フローチャートである。
まず、ランプ１１の点灯時間の累積値を計測する動作について図２に基づき説明する。
制御部２０は、プロジェクタ１の電源が投入されると点灯時間計測動作を開始し（Ｓ１０１）、ランプ点灯操作がされるまで待機する（Ｓ１０２）。ユーザーにより操作パネル４１又はリモコンＲＣの操作キーから、電源オンキーなどの投写を開始する旨のキーが押下されると、操作信号処理部４３は、当該操作の操作信号を受信し、この操作信号を制御部２０へ入力する。制御部２０は、入力された操作信号によりランプ点灯操作を検出し（Ｓ１０２）、バラスト４０に対してランプ１１の点灯を指示すると共に、時計部５０を参照して現在の時刻を点灯時刻として取得する（Ｓ１０３）。
【００２８】
バラスト４０は、制御部２０からの指示によりランプ１１を点灯させる。このような状態において、例えば外部接続機器２から画像入力部３１に１又は複数の入力画像信号が入力され、ユーザーから入力切換キーが操作されると、制御部２０は画像入力部３１に入力画像切り換え操作を行わせ、外部接続機器２から入力される複数の入力画像信号のうち、操作に応じた入力画像信号を選択させる。そして、制御部２０は画像信号処理部３２に対し、選択された入力画像信号を変換して投写画像用の画像信号の生成を指示する。画像信号処理部３２は、生成した画像信号を液晶ライトバルブ駆動部１４へ入力し、液晶ライトバルブ駆動部１４は、入力された画像信号に応じて、液晶ライトバルブ１２を駆動する。液晶ライトバルブ１２は、液晶ライトバルブ駆動部１４により各画素の透過率が調整されることにより、ランプ１１の光を変調して画像光を射出する。この画像光は、投写光学系１３を介してスクリーンＳＣに投射される。
【００２９】
次に、ユーザーにより操作パネル４１又はリモコンＲＣの操作キーから、電源オフキーなどの投写を終了する旨のキーが押下されると、操作信号処理部４３は、当該操作の操作信号を受信し、この操作信号を制御部２０へ入力する。制御部２０は、入力された操作信号によりランプ点灯操作を検出し（Ｓ１０４）、バラスト４０に対してランプ１１の消灯を指示すると共に、時計部５０を参照して現在の時刻を消灯時刻として取得する（Ｓ１０５）。
【００３０】
次に、制御部２０は、消灯時刻と点灯時刻との差分からランプ１１の点灯時間を算出する（Ｓ１０６）。そして、記憶部４４に記憶された当該ランプ１１の点灯時間の累積値に、算出した点灯時間を加算して当該累積値の情報を更新する（Ｓ１０７）。
【００３１】
このような動作により、ランプ１１が点灯及び消灯する度に、記憶部４４に記憶された当該点灯時間の累積値が更新されることとなる。尚、点灯時間の計測動作はこれに限らず、ランプ１１が点灯している時間を計測できれば良く、例えば、ランプ点灯制御と共に時間計測を開始し、ランプ消灯制御と共に時間計測を終了して、計測した時間を記憶された点灯時間の累積値に加算して更新しても良い。
【００３２】
尚、点灯時間の累積値情報は、例えば、操作パネル４１からの点灯時間リセット操作により、当該累積値情報のリセットが可能である。例えばランプ１１を新品に交換した場合には、ユーザーの操作により点灯時間の累積値情報をリセットする。尚、点灯時間の累積値情報のリセットはこれに限らず、例えばスイッチなどによりランプ１１の装着状態を検出する交換検出手段を設け、ランプ１１が交換されたとき交換検出信号を制御部２０に入力して、上記点灯時間リセットの動作を行っても良い。これにより、ユーザーはランプ１１を交換する度に点灯時間リセット操作をする必要が無く、利便性を向上させることができる。
【００３３】
図３は実施の形態１に係る電源オン時の点灯時間通知動作を示すフローチャート、図４は実施の形態１に係る電源オフ時の点灯時間通知動作を示すフローチャート、図５は実施の形態１に係る選択メッセージ画面表示を示す図である。以下、電源オン時及び電源オフ時における点灯時間通知動作について、図３及び図４に基づき、図５を参照しながら説明する。
【００３４】
まず、電源オン時の点灯時間通知動作について説明する。
ユーザーにより操作パネル４１又はリモコンＲＣの操作キーから、電源オンキーが押下されると、操作信号処理部４３は、当該操作の操作信号を受信し、この操作信号を制御部２０へ入力する。制御部２０は、入力された操作信号により電源オン操作を検出する（Ｓ２０１）。そして、制御部２０はバラスト４０に対してランプ１１の点灯を指示し、バラスト４０は、制御部２０からの指示によりランプ１１を点灯させる（Ｓ２０２）。
【００３５】
次に、制御部２０は、記憶部４４に記憶された点灯時間の累積値情報を取得し（Ｓ２０３）、取得した点灯時間の累積値がゼロであるか否かを判断する（Ｓ２０４）。点灯時間の累積値がゼロでないと判断した場合、制御部２０は、記憶部４４に記憶された点灯時間の累積値情報を、ネットワーク接続部７０からサーバー３に送信（通知）させる（Ｓ２０９）。この点灯時間の累積値情報を受信したサーバー３は、当該点灯時間の累積値情報を記憶する。そして、プロジェクタ１は通常の動作状態に移行する（Ｓ２１０）。
【００３６】
一方、ステップＳ２０４で点灯時間の累積値がゼロであると判断した場合、制御部２０は、記憶部４４に記録された選択メッセージ画面に関するＯＳＤ情報を画像信号処理部３２に出力し、画像信号処理部３２は、入力されたＯＳＤ情報に基いて、選択メッセージ画面のＯＳＤ画像信号を生成する。そして、この画像信号に基づく画像光が投写光学系１３を介して射出され、図５に示すような選択メッセージ画面が投写される。
【００３７】
図５に示すように、選択メッセージ画面は、点灯時間の累積値がゼロである旨の表示、及び点灯時間の累積値情報を書き戻すか否かを選択する選択メニュー１００から構成される。この選択メニュー１００は、例えば、累積値情報を書き戻さない旨の操作として「ゼロで通知する。」、累積値情報を書き戻す旨の操作として「サーバーに最後に保存されている時間に書き戻す。」との操作項目を表示する。
【００３８】
このような選択メッセージ画面により、ユーザーは、操作パネル４１又はリモコンＲＣのカーソルキー・決定キーなどを操作して、例えば、当該ランプ１１が新品であり累積値情報を書き戻す必要がない場合は、選択メニュー１００から「ゼロで通知する。」を選択する。また、例えば修理・点検などにより点灯時間の累積値情報がクリアされてしまったときなど、累積値情報を書き戻す必要がある場合には、選択メニュー１００から「サーバーに最後に保存されている時間に書き戻す。」を選択する。
【００３９】
制御部２０は、選択メニュー１００から「ゼロで通知する。」が選択されると、ゼロクリア操作がされたと判断し（Ｓ２０６）、累積値がゼロである点灯時間の累積値情報を、ネットワーク接続部７０からサーバー３に送信（通知）させる（Ｓ２０９）。この点灯時間の累積値情報を受信したサーバー３は、当該点灯時間の累積値情報を記憶する。そして、プロジェクタ１は通常の動作状態に移行する（Ｓ２１０）。
【００４０】
一方、選択メニュー１００から「サーバーに最後に保存されている時間に書き戻す。」が選択されると、制御部２０は、ゼロクリア操作でないと判断し（Ｓ２０６）、サーバー３に記憶された点灯時間の累積値情報を、ネットワーク接続部７０を介して取得させ（Ｓ２０７）、取得した当該点灯時間の累積値情報を、当該ランプ１１の点灯時間の累積値情報として記憶部４４に記憶させる（Ｓ２０８）。そして、プロジェクタ１は通常の動作状態に移行する（Ｓ２１０）。
【００４１】
次に、電源オフ時の点灯時間通知動作について説明する。
ユーザーにより操作パネル４１又はリモコンＲＣの操作キーから、電源オフキーが押下されると、操作信号処理部４３は、当該操作の操作信号を受信し、この操作信号を制御部２０へ入力する。制御部２０は、入力された操作信号により電源オフ操作を検出する（Ｓ３０１）。次に、制御部２０は、記憶部４４に記憶された点灯時間の累積値情報を取得し（Ｓ３０２）、取得した点灯時間の累積値情報を、ネットワーク接続部７０からサーバー３に送信（通知）させる（Ｓ３０３）。この点灯時間の累積値情報を受信したサーバー３は、当該点灯時間の累積値情報を記憶する。そして、制御部２０はバラスト４０に対してランプ１１の消灯を指示すると共に、所定のクールダウン処理を行った後（Ｓ３０４）、プロジェクタ１はスタンバイ状態に移行する（Ｓ３０５）。
【００４２】
尚、サーバー３においては、電源オン／オフの度に、点灯時間の累積値情報が通知されることとなるため、この通知情報を用いて、例えば、プロジェクタ１がオン及びオフされた日時を把握することにより、プロジェクタ１の使用履歴を管理するようにしても良い。
【００４３】
以上のように本実施の形態１においては、ランプ１１の点灯時間の累積値を計測して点灯時間の累積値情報をサーバー３に出力し、累積値情報を書き戻す旨の操作がされたとき、サーバー３から点灯時間の累積値情報を取得して、当該ランプ１１の点灯時間の累積値情報として記憶するので、例えば修理・点検などにより、点灯時間の累積値情報がクリアされた場合であっても、現在使用しているランプ１１の点灯時間を把握することができる。
【００４４】
また、ランプ１１にメモリを付加する必要がないので、ランプ１１のコストを上げることなく現在使用しているランプ１１の点灯時間を把握することができる。
【００４５】
また、記憶部４４に記憶された点灯時間の累積値がゼロのとき、累積値情報を書き戻すか否かを選択する選択メッセージ画面を表示するので、例えば修理・点検などにより、点灯時間の累積値情報がクリアされた場合に、ユーザーに対して、累積値情報を書き戻すか否かの操作を促すことができる。
【００４６】
また、累積値情報を書き戻さない旨の操作がされたとき、点灯時間の累積値情報をサーバー３に出力するので、ユーザーの操作に応じて点灯時間の累積値情報をサーバー３に出力することができ、例えばランプ１１を新品に交換した場合に累積値ゼロを通知することができる。
【００４７】
尚、本実施の形態１では、電源オン又は電源オフ時に点灯時間を通知させる動作を行ったが、本発明はこれに限らず所定のタイミングで点灯時間の累積値情報をサーバー３に送信するようにしても良い。例えば、ユーザーからの任意の操作によりメニュー画面を表示して上記選択メニューを選択するようにしても良い。
【００４８】
尚、本実施の形態１では、外部の装置としてサーバー３に、点灯時間の累積値情報を記憶する場合を説明したが、本発明はこれに限らず、外部の装置として、例えばＵＳＢメモリ等の外部記憶装置を用いても良い。
【００４９】
尚、上記実施の形態１では、液晶ライトバルブ１２を用いて、ランプ１１から射出された光を変調したが、本発明はこれに限らず、他の空間光変調器を用いても良く、例えば、半導体基板の上に敷き詰められた微小面積のミラーの傾きを画像信号に基づいて制御することによって画像を投写するＤＭＤ（Ｄｉｇｉｔａｌ  Ｍｉｃｒｏｍｉｒｒｏｒ  Ｄｅｖｉｃｅ）を用いてもよい。なお、ＤＭＤは米国テキサスインスツルメンツ社の登録商標である。
【図面の簡単な説明】
【００５０】
【図１】実施の形態１に係るプロジェクタの構成を示すブロック図である。
【図２】実施の形態１に係る点灯時間計測の動作フローチャートである。
【図３】実施の形態１に係る電源オン時の点灯時間通知動作を示すフローチャートである。
【図４】実施の形態１に係る電源オフ時の点灯時間通知動作を示すフローチャートである。
【図５】実施の形態１に係る選択メッセージ画面表示を示す図である。
【符号の説明】
【００５１】
１  プロジェクタ、２  外部接続機器、３  サーバー、１１  ランプ、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、３１  画像入力部、３２  画像信号処理部、３３  フレームメモリ、４０  バラスト、４１  操作パネル、４２  リモコン受光部、４３  操作信号処理部、４４  記憶部、５０  時計部、６０  ネットワーク情報保存部、７０  ネットワーク接続部、１００  選択メニュー、ＲＣ  リモコン、ＳＣ  スクリーン。
【図１】
0005050867.tif 000002
【図２】
0005050867.tif 000003
【図３】
0005050867.tif 000004
【図４】
0005050867.tif 000005
【図５】
0005050867.tif 000006